(57)【要約】【課題】画像形成装置の設定画面に関してユーザの操作性を向上させることが可能な技術を提供する。【解決手段】画像形成装置において、設定用のメニュー画面の表示モードとして第１の表示モードと第２の表示モードとの両モードが設けられる。第１の表示モードのメニュー画面においては、画像形成装置に設けられた複数の機能のそれぞれに関する各詳細設定画面を呼び出すための複数の機能ボタンのうちの一部の機能ボタンが表示対象機能ボタンとして決定され表示対象機能ボタンが所定方向に一列に配列して表示される。また、ユーザによるスクロール操作に応じて表示対象機能ボタンが変更されて表示される。第２の表示モードのメニュー画面においては、当該複数の機能ボタンのうちの少なくとも一部の機能ボタンがグリッド状に配置されて表示される。画像形成装置は、両モードを切り換える制御手段を備える。【選択図】図６
2016066283.tif 000002
【特許請求の範囲】
【請求項１】
画像形成装置であって、
設定用のメニュー画面を表示する表示手段と、
前記メニュー画面の表示モードを第１の表示モードと第２の表示モードとの間で切り換える制御手段と、
を備え、
前記制御手段は、
前記第１の表示モードの前記メニュー画面である第１のメニュー画面において、前記画像形成装置に設けられた複数の機能のそれぞれに関する各詳細設定画面を呼び出すための複数の機能ボタンのうちの一部の機能ボタンを表示対象機能ボタンとして決定し前記表示対象機能ボタンを所定方向に一列に配列して表示するとともに、ユーザによるスクロール操作に応じて前記表示対象機能ボタンを変更して表示し、
前記第２の表示モードの前記メニュー画面である第２のメニュー画面において、前記複数の機能ボタンのうちの少なくとも一部の機能ボタンをグリッド状に配置して表示することを特徴とする画像形成装置。
【請求項２】
請求項１に記載の画像形成装置において、
前記第２のメニュー画面においては、各機能ボタンが、前記グリッド状の配置における固有位置にそれぞれ配置されることを特徴とする画像形成装置。
【請求項３】
請求項２に記載の画像形成装置において、
前記第２のメニュー画面においては、前記複数の機能ボタンが複数のページに区分されて配置されるとともに、前記複数のページのそれぞれに配置される各機能ボタンは、それぞれ各ページ内における固有位置に表示されることを特徴とする画像形成装置。
【請求項４】
請求項１ないし請求項３のいずれかに記載の画像形成装置において、
前記制御手段は、前記第２のメニュー画面において何れかのボタンが設定対象機能ボタンとしてユーザにより選択されて押下されると、前記設定対象機能ボタンに対応する詳細設定画面を、前記設定対象機能ボタンとして何れのボタンが選択されたかに依存しない共通の所定位置に表示することを特徴とする画像形成装置。
【請求項５】
請求項１ないし請求項４のいずれかに記載の画像形成装置において、
前記制御手段は、前記第１のメニュー画面において前記一部の機能ボタンのいずれかが設定対象機能ボタンとしてユーザにより選択されて押下されると、前記設定対象機能ボタンに対応する詳細設定画面であって、前記設定対象機能ボタンとの関連性の存在を示す図形部分を有し且つ前記設定対象機能ボタンを隠さないように配置された詳細設定画面をポップアップ表示することを特徴とする画像形成装置。
【請求項６】
請求項５に記載の画像形成装置において、
前記図形部分は、前記設定対象機能ボタンに近接あるいは接触する突出部分を有することを特徴とする画像形成装置。
【請求項７】
請求項１ないし請求項６のいずれかに記載の画像形成装置において、
前記制御手段は、前記第１のメニュー画面と前記第２のメニュー画面との両メニュー画面のうち現在表示中のメニュー画面に設けられたモード切換ボタンに対する押下操作に応答して、表示モード切換処理を実行することを特徴とする画像形成装置。
【請求項８】
請求項７に記載の画像形成装置において、
前記制御手段は、前記第２の表示モードにおいて特定の機能に関する詳細設定画面が表示されている際に前記モード切換ボタンが押下される場合には、
前記第１の表示モードへの切換直後において、前記特定の機能に関する前記第１の表示モード用の詳細設定画面を表示するとともに、
前記第１の表示モード用の当該詳細設定画面を用いた設定終了後には、前記特定の機能に対応する機能ボタンを前記表示対象機能ボタンの１つとして含む前記第１のメニュー画面を表示することを特徴とする画像形成装置。
【請求項９】
請求項７に記載の画像形成装置において、
前記制御手段は、前記第１の表示モードにおいて特定の機能に関する詳細設定画面が表示されている際に前記モード切換ボタンが押下される場合には、
前記第２の表示モードへの切換直後において、前記特定の機能に関する前記第２の表示モード用の詳細設定画面を表示するとともに、
前記第２の表示モード用の当該詳細設定画面を用いた設定終了後には、前記特定の機能に対応する機能ボタンを含む前記少なくとも一部の機能ボタンをグリッド状に配置して表示することを特徴とする画像形成装置。
【請求項１０】
請求項１に記載の画像形成装置において、
前記制御手段は、
前記第１のメニュー画面において前記一部の機能ボタンのいずれかが設定対象機能ボタンとしてユーザにより選択されて押下されると、前記設定対象機能ボタンに対応する詳細設定画面であって、前記設定対象機能ボタンとの関連性の存在を示す図形部分を有し且つ前記設定対象機能ボタンを隠さないように配置された詳細設定画面を、前記第１の表示モード用の詳細設定画面としてポップアップ表示し、
前記第２のメニュー画面において何れかのボタンが前記設定対象機能ボタンとしてユーザにより選択されて押下されると、前記設定対象機能ボタンに対応する詳細設定画面を、前記設定対象機能ボタンとして何れのボタンが選択されたかに依存しない共通の所定位置に、前記第２の表示モード用の詳細設定画面としてポップアップ表示し、
前記第１の表示モードにおいて特定の機能に関する前記第１の表示モード用の詳細設定画面が表示されている際に前記第２の表示モードへのモード切換指示が受け付けられる場合には、前記第２の表示モードへの切換直後において、前記特定の機能に関する前記第２の表示モード用の詳細設定画面を表示し、
前記第２の表示モードにおいて前記特定の機能に関する前記第２の表示モード用の詳細設定画面が表示されている際に前記第１の表示モードへのモード切換指示が受け付けられる場合には、前記第１の表示モードへの切換直後において、前記特定の機能に関する前記第１の表示モード用の詳細設定画面を表示し、
前記第１の表示モード用の詳細設定画面と前記第２の表示モード用の詳細設定画面とは、前記図形部分を除いて、同じ形状および同じ大きさを有することを特徴とする画像形成装置。
【請求項１１】
請求項１ないし請求項６のいずれかに記載の画像形成装置において、
前記制御手段は、前記第１のメニュー画面において前記一部の機能ボタンのいずれかが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記設定操作に連動して自動的に設定変更された機能を含む２以上の機能に対応する２以上の機能ボタンが直前の前記第１のメニュー画面内にて一度に表示されていなかったことを条件として、前記第１のメニュー画面に代えて前記第２のメニュー画面を表示することを特徴とする画像形成装置。
【請求項１２】
請求項１ないし請求項６のいずれかに記載の画像形成装置において、
前記制御手段は、前記第１のメニュー画面において小冊子機能に関する機能ボタンが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記小冊子機能と前記設定操作に連動して自動的に設定変更された両面出力機能を含む２以上の機能に対応する２以上の機能ボタンが直前の前記第１のメニュー画面内にて一度に表示されていなかったことを条件として、前記第１のメニュー画面に代えて前記第２のメニュー画面を表示することを特徴とする画像形成装置。
【請求項１３】
請求項１ないし請求項６のいずれかに記載の画像形成装置において、
前記制御手段は、前記第１のメニュー画面において前記一部の機能ボタンのいずれかが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記設定操作に連動して自動的に設定変更された機能を含む２以上の機能に対応する２以上の機能ボタンを前記第１のメニュー画面内にスクロールを伴わずに一度に表示することができないことを条件として、前記第１のメニュー画面に代えて前記第２のメニュー画面を表示することを特徴とする画像形成装置。
【請求項１４】
請求項１１ないし請求項１３のいずれかに記載の画像形成装置において、
前記制御手段は、前記第２のメニュー画面における一のページ画面であって前記２以上の機能ボタンを含む一のページ画面が存在することをも条件として、前記第２のメニュー画面における前記一のページ画面を前記第１のメニュー画面に代えて表示することを特徴とする画像形成装置。
【請求項１５】
請求項１１ないし請求項１４のいずれかに記載の画像形成装置において、
前記制御手段は、前記第１のメニュー画面において選択された設定対象機能ボタンに対応する前記詳細設定画面を用いた前記設定操作が行われた後において、設定変更がなされた旨を示す目印を、前記第２のメニュー画面内の前記２以上の機能ボタンの全てに対して付することを特徴とする画像形成装置。
【請求項１６】
請求項１ないし請求項６のいずれかに記載の画像形成装置において、
前記制御手段は、前記第１のメニュー画面を用いて設定変更された機能の数が所定値を超える場合には、前記第２のメニュー画面を前記第１のメニュー画面に代えて表示することを特徴とする画像形成装置。
【請求項１７】
請求項１ないし請求項６のいずれかに記載の画像形成装置において、
前記制御手段は、前記第１の表示モードにおいて前記所定方向に配列された複数の機能ボタンのうちの一方端のボタンが表示されている状態から、前記機能ボタンに関するスクロール操作に応じて前記所定方向における他方端のボタンが表示される状態を経て、逆向きのスクロール操作に応じて前記一方端のボタンが再び表示される状態へと遷移するまでにユーザによる機能ボタンの選択操作が行われない場合には、表示モード切換処理を実行し前記第１のメニュー画面に代えて前記第２のメニュー画面を表示することを特徴とする画像形成装置。
【請求項１８】
請求項１ないし請求項６のいずれかに記載の画像形成装置において、
前記制御手段は、前記第１の表示モードにおいて前記所定方向に配列された複数の機能ボタンのうちの一方端のボタンが表示されている状態から、前記機能ボタンに関するスクロール操作に応じて前記所定方向における他方端のボタンが表示される状態へと遷移するまでにユーザによる機能ボタンの選択操作が行われない場合には、表示モード切換処理を実行し前記第１のメニュー画面に代えて前記第２のメニュー画面を表示することを特徴とする画像形成装置。
【請求項１９】
請求項１ないし請求項１８のいずれかに記載の画像形成装置において、
前記第１のメニュー画面における各機能ボタンは、前記第２のメニュー画面における各機能ボタンの大きさと同じ大きさで表示されることを特徴とする画像形成装置。
【請求項２０】
コンピュータに、
ａ）画像形成装置に関する設定用のメニュー画面を第１の表示モードと第２の表示モードとの両表示モードのうちの一方の表示モードで表示するステップと、
ｂ）前記メニュー画面の表示モードを前記両表示モードのうちの前記一方の表示モードから他方の表示モードへと切り換えるステップと、
を実行させるためのプログラムであって、
前記第１の表示モードの前記メニュー画面である第１のメニュー画面においては、前記画像形成装置に設けられた複数の機能のそれぞれに関する各詳細設定画面を呼び出すための複数の機能ボタンのうちの一部の機能ボタンが表示対象機能ボタンとして決定され前記表示対象機能ボタンが所定方向に一列に配列して表示されるとともに、ユーザによるスクロール操作に応じて前記表示対象機能ボタンが変更されて表示され、
前記第２の表示モードの前記メニュー画面である第２のメニュー画面においては、前記複数の機能ボタンのうちの少なくとも一部の機能ボタンがグリッド状に配置して表示されることを特徴とするプログラム。
【発明の詳細な説明】
【技術分野】
【０００１】
本発明は、画像形成装置およびそれに関連する技術に関する。
【背景技術】
【０００２】
画像形成装置においては、搭載される機能が年々増加しており、これらの機能にそれぞれ対応する設定用のボタン（機能ボタン）の数も増加している。そのため、全機能にそれぞれ対応する全てのボタンを、操作パネル部（表示部）のメニュー画面に一度に表示することは困難である。
【０００３】
そこで、所定方向に一列に配列された多数のボタンのうち一部のボタンを表示対象ボタンとしてメニュー画面に表示し、当該所定方向におけるスクロール動作によって表示対象ボタンを変更する技術（一列スクロール表示技術とも称する）が存在する。
【０００４】
例えば、特許文献１には、多数のボタン（アイコン）のうち一部のボタン（アイコン）を表示対象ボタンとして一覧表示領域に水平方向に一列に表示し、当該水平方向のスクロール操作に応じて表示対象ボタンを変更する（スクロール表示する）技術が記載されている。
【０００５】
また、メニュー画面における複数の機能ボタンをグリッド状に配置する技術（グリッド状表示技術とも称する）も存在する。
【０００６】
例えば、特許文献２の図１には、合計４個の機能ボタンが縦方向と横方向との双方に並んで（２列×２列で）配置されている様子が示されている。
【先行技術文献】
【特許文献】
【０００７】
【特許文献１】特開２０１２−６８７００号公報
【特許文献２】特開２０００−２０９３８３号公報
【発明の概要】
【発明が解決しようとする課題】
【０００８】
上述の２つの表示技術のうちの一方の技術である一列スクロール表示技術によれば、ユーザは、所定方向に一列に配置されスクロール表示される多数のボタンの中から所望のボタンを探す際に、当該所定方向（１方向）においてのみ視線を移動させればよい、という利点を得ることができる。
【０００９】
しかしながら、多数のボタンがスクロールされて表示され所望のボタンの位置は画面内において随時移動するため、ユーザが所望のボタンを見逃してしまうこともある。また、画面内に配置できる数を一定個数（たとえば１０個）以上に増やすことは困難であるため、一覧性に劣るという特質を有している。
【００１０】
これに対して、他方のグリッド状表示技術においては、グリッド状（２次元状）配置によって、比較的多数（たとえば２０個）の機能ボタンを画面内に一度に表示することが可能であり、比較的高い一覧性を得ることが可能である。また、グリッド状表示技術においては、多数のボタンがそれぞれ常に同じ位置（固有の位置）に表示されるので、ユーザは、所望のボタンの位置を記憶している場合には、所望のボタンに比較的早くアクセスすることが可能である。
【００１１】
しかしながら、グリッド状表示技術においては、ユーザは、メニュー画面内から所望のボタンを探す際において、横方向と縦方向との２方向において所望のボタンの存在を目で追いかけていくことが求められるので、目で追いにくくなるという側面もある。
【００１２】
このように、これら２種類の表示手法は一長一短であり、当該２種類の表示手法のうち専ら一方のみを利用する場合には、ユーザの嗜好および／または利用の仕方等にも依るが、ユーザは高い操作性を得ることができないことがある。
【００１３】
そこで、この発明は、画像形成装置の設定画面に関してユーザの操作性を向上させることが可能な技術を提供することを課題とする。
【課題を解決するための手段】
【００１４】
上記課題を解決すべく、請求項１の発明は、画像形成装置であって、設定用のメニュー画面を表示する表示手段と、前記メニュー画面の表示モードを第１の表示モードと第２の表示モードとの間で切り換える制御手段と、を備え、前記制御手段は、前記第１の表示モードの前記メニュー画面である第１のメニュー画面において、前記画像形成装置に設けられた複数の機能のそれぞれに関する各詳細設定画面を呼び出すための複数の機能ボタンのうちの一部の機能ボタンを表示対象機能ボタンとして決定し前記表示対象機能ボタンを所定方向に一列に配列して表示するとともに、ユーザによるスクロール操作に応じて前記表示対象機能ボタンを変更して表示し、前記第２の表示モードの前記メニュー画面である第２のメニュー画面において、前記複数の機能ボタンのうちの少なくとも一部の機能ボタンをグリッド状に配置して表示することを特徴とする。
【００１５】
請求項２の発明は、請求項１の発明に係る画像形成装置において、前記第２のメニュー画面においては、各機能ボタンが、前記グリッド状の配置における固有位置にそれぞれ配置されることを特徴とする。
【００１６】
請求項３の発明は、請求項２の発明に係る画像形成装置において、前記第２のメニュー画面においては、前記複数の機能ボタンが複数のページに区分されて配置されるとともに、前記複数のページのそれぞれに配置される各機能ボタンは、それぞれ各ページ内における固有位置に表示されることを特徴とする。
【００１７】
請求項４の発明は、請求項１ないし請求項３のいずれかの発明に係る画像形成装置において、前記制御手段は、前記第２のメニュー画面において何れかのボタンが設定対象機能ボタンとしてユーザにより選択されて押下されると、前記設定対象機能ボタンに対応する詳細設定画面を、前記設定対象機能ボタンとして何れのボタンが選択されたかに依存しない共通の所定位置に表示することを特徴とする。
【００１８】
請求項５の発明は、請求項１ないし請求項４のいずれかの発明に係る画像形成装置において、前記制御手段は、前記第１のメニュー画面において前記一部の機能ボタンのいずれかが設定対象機能ボタンとしてユーザにより選択されて押下されると、前記設定対象機能ボタンに対応する詳細設定画面であって、前記設定対象機能ボタンとの関連性の存在を示す図形部分を有し且つ前記設定対象機能ボタンを隠さないように配置された詳細設定画面をポップアップ表示することを特徴とする。
【００１９】
請求項６の発明は、請求項５の発明に係る画像形成装置において、前記図形部分は、前記設定対象機能ボタンに近接あるいは接触する突出部分を有することを特徴とする。
【００２０】
請求項７の発明は、請求項１ないし請求項６のいずれかの発明に係る画像形成装置において、前記制御手段は、前記第１のメニュー画面と前記第２のメニュー画面との両メニュー画面のうち現在表示中のメニュー画面に設けられたモード切換ボタンに対する押下操作に応答して、表示モード切換処理を実行することを特徴とする。
【００２１】
請求項８の発明は、請求項７の発明に係る画像形成装置において、前記制御手段は、前記第２の表示モードにおいて特定の機能に関する詳細設定画面が表示されている際に前記モード切換ボタンが押下される場合には、前記第１の表示モードへの切換直後において、前記特定の機能に関する前記第１の表示モード用の詳細設定画面を表示するとともに、前記第１の表示モード用の当該詳細設定画面を用いた設定終了後には、前記特定の機能に対応する機能ボタンを前記表示対象機能ボタンの１つとして含む前記第１のメニュー画面を表示することを特徴とする。
【００２２】
請求項９の発明は、請求項７の発明に係る画像形成装置において、前記制御手段は、前記第１の表示モードにおいて特定の機能に関する詳細設定画面が表示されている際に前記モード切換ボタンが押下される場合には、前記第２の表示モードへの切換直後において、前記特定の機能に関する前記第２の表示モード用の詳細設定画面を表示するとともに、前記第２の表示モード用の当該詳細設定画面を用いた設定終了後には、前記特定の機能に対応する機能ボタンを含む前記少なくとも一部の機能ボタンをグリッド状に配置して表示することを特徴とする。
【００２３】
請求項１０の発明は、請求項１の発明に係る画像形成装置において、前記制御手段は、前記第１のメニュー画面において前記一部の機能ボタンのいずれかが設定対象機能ボタンとしてユーザにより選択されて押下されると、前記設定対象機能ボタンに対応する詳細設定画面であって、前記設定対象機能ボタンとの関連性の存在を示す図形部分を有し且つ前記設定対象機能ボタンを隠さないように配置された詳細設定画面を、前記第１の表示モード用の詳細設定画面としてポップアップ表示し、前記第２のメニュー画面において何れかのボタンが前記設定対象機能ボタンとしてユーザにより選択されて押下されると、前記設定対象機能ボタンに対応する詳細設定画面を、前記設定対象機能ボタンとして何れのボタンが選択されたかに依存しない共通の所定位置に、前記第２の表示モード用の詳細設定画面としてポップアップ表示し、前記第１の表示モードにおいて特定の機能に関する前記第１の表示モード用の詳細設定画面が表示されている際に前記第２の表示モードへのモード切換指示が受け付けられる場合には、前記第２の表示モードへの切換直後において、前記特定の機能に関する前記第２の表示モード用の詳細設定画面を表示し、前記第２の表示モードにおいて前記特定の機能に関する前記第２の表示モード用の詳細設定画面が表示されている際に前記第１の表示モードへのモード切換指示が受け付けられる場合には、前記第１の表示モードへの切換直後において、前記特定の機能に関する前記第１の表示モード用の詳細設定画面を表示し、前記第１の表示モード用の詳細設定画面と前記第２の表示モード用の詳細設定画面とは、前記図形部分を除いて、同じ形状および同じ大きさを有することを特徴とする。
【００２４】
請求項１１の発明は、請求項１ないし請求項６のいずれかの発明に係る画像形成装置において、前記制御手段は、前記第１のメニュー画面において前記一部の機能ボタンのいずれかが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記設定操作に連動して自動的に設定変更された機能を含む２以上の機能に対応する２以上の機能ボタンが直前の前記第１のメニュー画面内にて一度に表示されていなかったことを条件として、前記第１のメニュー画面に代えて前記第２のメニュー画面を表示することを特徴とする。
【００２５】
請求項１２の発明は、請求項１ないし請求項６のいずれかの発明に係る画像形成装置において、前記制御手段は、前記第１のメニュー画面において小冊子機能に関する機能ボタンが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記小冊子機能と前記設定操作に連動して自動的に設定変更された両面出力機能を含む２以上の機能に対応する２以上の機能ボタンが直前の前記第１のメニュー画面内にて一度に表示されていなかったことを条件として、前記第１のメニュー画面に代えて前記第２のメニュー画面を表示することを特徴とする。
【００２６】
請求項１３の発明は、請求項１ないし請求項６のいずれかの発明に係る画像形成装置において、前記制御手段は、前記第１のメニュー画面において前記一部の機能ボタンのいずれかが設定対象機能ボタンとしてユーザにより選択されて押下され、前記設定対象機能ボタンに対応する詳細設定画面を用いた設定操作が行われた後において、前記設定操作に伴って設定変更された２以上の機能であって前記設定操作に連動して自動的に設定変更された機能を含む２以上の機能に対応する２以上の機能ボタンを前記第１のメニュー画面内にスクロールを伴わずに一度に表示することができないことを条件として、前記第１のメニュー画面に代えて前記第２のメニュー画面を表示することを特徴とする。
【００２７】
請求項１４の発明は、請求項１１ないし請求項１３のいずれかの発明に係る画像形成装置において、前記制御手段は、前記第２のメニュー画面における一のページ画面であって前記２以上の機能ボタンを含む一のページ画面が存在することをも条件として、前記第２のメニュー画面における前記一のページ画面を前記第１のメニュー画面に代えて表示することを特徴とする。
【００２８】
請求項１５の発明は、請求項１１ないし請求項１４のいずれかの発明に係る画像形成装置において、前記制御手段は、前記第１のメニュー画面において選択された設定対象機能ボタンに対応する前記詳細設定画面を用いた前記設定操作が行われた後において、設定変更がなされた旨を示す目印を、前記第２のメニュー画面内の前記２以上の機能ボタンの全てに対して付することを特徴とする。
【００２９】
請求項１６の発明は、請求項１ないし請求項６のいずれかの発明に係る画像形成装置において、前記制御手段は、前記第１のメニュー画面を用いて設定変更された機能の数が所定値を超える場合には、前記第２のメニュー画面を前記第１のメニュー画面に代えて表示することを特徴とする。
【００３０】
請求項１７の発明は、請求項１ないし請求項６のいずれかの発明に係る画像形成装置において、前記制御手段は、前記第１の表示モードにおいて前記所定方向に配列された複数の機能ボタンのうちの一方端のボタンが表示されている状態から、前記機能ボタンに関するスクロール操作に応じて前記所定方向における他方端のボタンが表示される状態を経て、逆向きのスクロール操作に応じて前記一方端のボタンが再び表示される状態へと遷移するまでにユーザによる機能ボタンの選択操作が行われない場合には、表示モード切換処理を実行し前記第１のメニュー画面に代えて前記第２のメニュー画面を表示することを特徴とする。
【００３１】
請求項１８の発明は、請求項１ないし請求項６のいずれかの発明に係る画像形成装置において、前記制御手段は、前記第１の表示モードにおいて前記所定方向に配列された複数の機能ボタンのうちの一方端のボタンが表示されている状態から、前記機能ボタンに関するスクロール操作に応じて前記所定方向における他方端のボタンが表示される状態へと遷移するまでにユーザによる機能ボタンの選択操作が行われない場合には、表示モード切換処理を実行し前記第１のメニュー画面に代えて前記第２のメニュー画面を表示することを特徴とする。
【００３２】
請求項１９の発明は、請求項１ないし請求項１８のいずれかの発明に係る画像形成装置において、前記第１のメニュー画面における各機能ボタンは、前記第２のメニュー画面における各機能ボタンの大きさと同じ大きさで表示されることを特徴とする。
【００３３】
請求項２０の発明は、コンピュータに、ａ）画像形成装置に関する設定用のメニュー画面を第１の表示モードと第２の表示モードとの両表示モードのうちの一方の表示モードで表示するステップと、ｂ）前記メニュー画面の表示モードを前記両表示モードのうちの前記一方の表示モードから他方の表示モードへと切り換えるステップと、を実行させるためのプログラムであって、前記第１の表示モードの前記メニュー画面である第１のメニュー画面においては、前記画像形成装置に設けられた複数の機能のそれぞれに関する各詳細設定画面を呼び出すための複数の機能ボタンのうちの一部の機能ボタンが表示対象機能ボタンとして決定され前記表示対象機能ボタンが所定方向に一列に配列して表示されるとともに、ユーザによるスクロール操作に応じて前記表示対象機能ボタンが変更されて表示され、前記第２の表示モードの前記メニュー画面である第２のメニュー画面においては、前記複数の機能ボタンのうちの少なくとも一部の機能ボタンがグリッド状に配置して表示されることを特徴とする。
【発明の効果】
【００３４】
請求項１ないし請求項２０の発明によれば、設定用のメニュー画面の表示モードが第１の表示モードと第２の表示モードとの間で切り換えられるので、ユーザの操作性を向上させることが可能である。
【図面の簡単な説明】
【００３５】
【図１】画像形成装置の外観を示す外観図である。
【図２】画像形成装置の構成を示す機能ブロック図である。
【図３】複数の機能を示す図である。
【図４】基本設定メニュー画面（初期画面）を示す図である。
【図５】一列表示モードにおける応用設定メニュー画面（初期画面）を示す図である。
【図６】一列表示モードにおけるスクロール操作後の応用設定メニュー画面を示す図である。
【図７】一列表示モードにおける詳細設定画面を示す図である。
【図８】一列表示モードにおける詳細設定画面を示す図である。
【図９】一列表示モードにおける詳細設定画面を示す図である。
【図１０】詳細設定画面による設定操作後の応用設定メニュー画面を示す図である。
【図１１】詳細設定画面による設定操作後の応用設定メニュー画面を示す図である。
【図１２】グリッド表示モードにおける応用設定メニュー画面（初期画面）を示す図である。
【図１３】グリッド表示モードにおけるページ変更後の応用設定メニュー画面を示す図である。
【図１４】グリッド表示モードにおける詳細設定画面を示す図である。
【図１５】詳細設定画面による設定操作後の応用設定メニュー画面を示す図である。
【図１６】第２実施形態に係る動作を示すフローチャートである。
【図１７】別の設定操作後の応用設定メニュー画面を示す図である。
【図１８】第３実施形態における動作を示すフローチャートである。
【図１９】第４実施形態における動作を示すフローチャートである。
【図２０】一列表示モードにおけるスクロール操作後の応用設定メニュー画面を示す図である。
【図２１】変形例に係る動作を示すフローチャートである。
【発明を実施するための形態】
【００３６】
以下、本発明の実施形態を図面に基づいて説明する。
【００３７】
＜１．第１実施形態＞
＜１−１．構成＞
図１は、画像形成装置１０の外観を示す外観図であり、図２は、画像形成装置１０の構成を示す機能ブロック図である。ここでは、画像形成装置１０は、マルチ・ファンクション・ペリフェラル（Multi-Functional Peripheral）（ＭＦＰとも略称する）として構成されているものとする。当該ＭＦＰは、スキャナ機能、プリンタ機能、コピー機能およびファクシミリ通信機能などを備える装置（複合機とも称する）である。
【００３８】
図２に示すように、ＭＦＰ１０は、画像読取部２、印刷出力部３、通信部４、格納部５、入出力部６およびコントローラ９等を備えており、これらの各部を複合的に動作させることによって、各種の機能を実現する。
【００３９】
画像読取部２は、ＭＦＰ１０の所定の位置に載置された原稿を光学的に読み取って、当該原稿の画像データ（原稿画像とも称する）を生成する（画像を形成する）処理部である。
【００４０】
印刷出力部３は、対象画像に関する画像データに基づいて紙などの各種の媒体に画像を印刷出力する（画像を形成する）出力部である。
【００４１】
通信部４は、公衆回線等を介したファクシミリ通信を行うことが可能な処理部である。さらに、通信部４は、ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１０は、所望の相手先との間で各種のデータを授受することが可能である。
【００４２】
格納部５は、ハードディスクドライブ（ＨＤＤ）および不揮発性メモリ等の格納装置で構成される。
【００４３】
入出力部６は、ＭＦＰ１０に対する入力を受け付ける操作入力部６ａと、各種情報の表示出力を行う表示部６ｂとを備えている。具体的には、ＭＦＰ１０には、入出力部６として機能する操作パネル部６ｐ（図１参照）が設けられている。この操作パネル部６ｐは、各種ハードキーとタッチスクリーン（タッチパネル）２５（図１参照）とを有している。
【００４４】
タッチスクリーン２５は、液晶表示パネルに圧電センサ等が埋め込まれて構成されており、表示部６ｂの一部として機能するとともに、操作入力部６ａの一部としても機能する。詳細には、タッチスクリーン２５は、液晶表示パネルに各種の情報を表示することが可能であるとともに、液晶表示パネルに対する操作者の手指の操作位置を検知して、各種の入力を受け付けることも可能である。たとえば、タッチスクリーン２５に表示された（仮想的な）ボタンが操作者の手指によって触れられると、このような操作は当該ボタンに対する押下操作であるとみなされる。
【００４５】
このように、入出力部６は、操作者による入力操作を受け付けることが可能である。
【００４６】
コントローラ９は、ＭＦＰ１０を統括的に制御する制御部であり、ＣＰＵと、各種の半導体メモリ（ＲＡＭおよびＲＯＭ等）とを備えて構成される。コントローラ９の制御下において各種の処理部が動作することによって、ＭＦＰ１０の各種の機能が実現される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。なお、当該プログラム等は、ネットワークを経由してダウンロードされて取得されるようにしてもよく、あるいは、各種の可搬性記録媒体（ＵＳＢメモリ等）を介して取得されるようにしてもよい。
【００４７】
具体的には、コントローラ９は、設定処理部１１、表示制御部１２および入力制御部１４を含む各種の処理部を実現する。
【００４８】
設定処理部１１は、タッチスクリーン２５に表示された設定画面に対する操作入力等に応じて、ＭＦＰ１０における各種の機能を設定する処理部である。
【００４９】
表示制御部１２は、各種画面をタッチスクリーン２５に表示する表示動作等を制御する処理部である。
【００５０】
入力制御部１４は、ユーザからの指示入力を受け付ける処理部である。具体的には、入力制御部１４は、タッチスクリーン２５等に表示された各種の操作画面（メニュー画面および詳細設定画面等）を介して、ユーザからの指示入力を受け付ける。
【００５１】
＜１−２．基本設定メニューおよび応用設定メニュー＞
ＭＦＰ１０においては、電源の投入等により、初期化処理（メモリのクリアおよび標準モードの設定等）が行われる。
【００５２】
初期化処理が終了すると、表示制御部１２は、図４に示す初期画面２００をタッチスクリーン２５に表示する。この初期画面２００は、初期動作モード（たとえばコピーモード）における基本的な設定を行うための比較的少数の機能ボタンを備えた画面であり、基本設定メニュー画面などとも称される。
【００５３】
基本設定メニュー画面２００が表示されると、ユーザからの操作入力が受け付けられ、当該操作入力に対応する処理が実行される。具体的には、基本設定メニュー画面２００内の機能ボタン２１１〜２１７のいずれかが押下されると、初期動作モード（たとえばコピーモード）における各種の機能に関する設定操作が行われる。たとえば、「用紙」ボタン２０４が押下されると、「用紙」に関する詳細設定画面（不図示）が画面に重畳表示され、当該詳細設定画面を用いて「用紙」に関する各種の設定操作（用紙サイズの設定操作等）が行われる。
【００５４】
基本設定メニュー画面２００では、限定された数（ここでは７つ）の基本的な機能に関する設定のみが行われ得る。その他の機能に関する設定を行う場合等においては、応用設定メニュー画面が用いられる。
【００５５】
応用設定メニュー画面は、基本設定メニュー画面２００内の応用設定ボタン２９５の押下操作に応答して表示される。この応用設定メニュー画面は、基本設定メニュー画面よりも多くの機能に関する設定を行うことが可能な画面（設定用のメニュー画面）である。
【００５６】
この実施形態においては、（基本設定メニュー画面２００ではなく）応用設定メニュー画面に関して２種類の表示モードの切換処理が行われる態様について説明する。
【００５７】
応用設定メニュー画面は、２種類の表示モードＭ１，Ｍ２（具体的には、「一列表示モード」（Ｍ１）および「グリッド表示モード」（Ｍ２））のいずれかで表示される。ここでは、基本設定メニュー画面２００から応用設定メニュー画面への切り換え時点（応用設定メニュー画面の初期表示時点）においては、応用設定メニュー画面に関する２種類の表示モードＭ１，Ｍ２のうち一列表示モードＭ１の応用設定メニュー画面３００（図５等）がタッチスクリーン２５に初期表示されるものとする。なお、これに限定されず、逆にグリッド表示モードＭ２の応用設定メニュー画面５００（図１２等）が初期表示されるようにしてもよい。
【００５８】
また、後述するように、一列表示モードＭ１からグリッド表示モードＭ２に切り換えられると、当該グリッド表示モードＭ２では、応用設定メニュー画面３００とは異なる応用設定メニュー画面５００がタッチスクリーン２５に表示される。
【００５９】
＜１−３．一列表示モード＞
以下では、まず、一列表示モードＭ１における応用設定メニュー画面３００等について説明する。なお、一列表示モードＭ１は、後述するように一列に配列された複数の機能ボタンＢｉの中から所望の機能ボタンをスクロール操作を伴って探し出すモードであることから、「一列スクロール表示モード」などとも表現される。
【００６０】
図５は、一列表示モードＭ１における応用設定メニュー画面３００を示す図である。この応用設定メニュー画面３００は、基本設定メニュー画面２００に重畳して表示されている。なお、図５においては、手前側の応用設定メニュー画面３００が有効化され、背面側の基本設定メニュー画面２００は無効化されている。
【００６１】
図５に示すように、応用設定メニュー画面３００内の上側には、ボタン表示領域３１０が設けられている。
【００６２】
このボタン表示領域３１０には、複数の機能設定用ボタン（単に機能ボタンとも称する）Ｂｉ（この実施形態では、ｉ＝１，２，...，２４）のうち一部の機能設定用ボタン（図５では、８個の機能ボタンＢ１〜Ｂ８）が水平方向に一列に配列されて表示される。詳細には、水平方向（横方向）に仮想的に配列された複数の機能ボタンＢｉのうち、表示対象範囲内の一部の機能ボタン（表示対象として決定された所定数（ここでは８個）の機能ボタン）が、表示対象ボタン（表示対象機能ボタン）としてボタン表示領域３１０に表示される。複数の機能ボタンＢｉは、ＭＦＰ１０に搭載された複数の機能にそれぞれ対応して設けられるボタンである。
【００６３】
水平方向に仮想的に配列された複数の機能ボタンＢｉのうち、初期状態では、左端の機能ボタンＢ１とその右側に配列された７個の機能ボタンＢ２〜Ｂ８との合計８個の機能ボタンＢ１〜Ｂ８が、表示対象機能ボタンとして決定され、ボタン表示領域３１０に表示される。なお、後述するように、ユーザによるスクロール操作に応じて、いずれの機能ボタンＢｉがボタン表示領域３１０に表示されるかが変更される。
【００６４】
また、後述するように、ユーザが複数の機能ボタンの中から所望の機能ボタンＢｉを選択して押下すると、押下された機能ボタンＢｉに関する機能設定画面（詳細設定画面とも称する）が表示（ポップアップ表示）される。換言すれば、複数の機能ボタンＢｉは、ＭＦＰ１０に搭載された複数の機能のそれぞれに関する機能設定画面（詳細設定画面）を呼び出すためのボタンである。
【００６５】
また、図５に示すように、ボタン表示領域３１０の下方には、アイコン表示領域３５０が設けられている。
【００６６】
アイコン表示領域３５０には、各機能を設定するための複数の機能ボタンＢｉに対応する複数のアイコン（図中において比較的小さな矩形領域（黒四角）で示される）が、水平方向に配列された状態で表示される。このアイコン表示領域３５０においては、複数のアイコンは、それぞれの機能に応じて複数の機能グループ（単にグループとも表現する）に分類された状態（詳細には、機能グループごとに纏められた状態）で表示される。
【００６７】
この実施形態においては、複数（ここでは合計２４個）の機能が、その属性に応じて、複数（ここでは５個）のグループＧ１〜Ｇ５（「基本設定」グループ、「原稿」グループ、「レイアウト」グループ、「仕立て」グループおよび「画質／濃度」グループ）に分類される態様を例示する。具体的には、図３にも示すように、「基本設定」グループＧ１には、７つの機能（「カラー」、「濃度」、「原稿画質」、「用紙」、「倍率」、「両面／ページ集約」および「仕上り」）が所属する。また、「原稿」グループＧ２には、４つの機能（「原稿設定」、「ブック原稿」、「連続読込」および「自動画像回転」）が所属し、「レイアウト」グループＧ３には、６つの機能（「小冊子」、「綴じ代（とじしろ）」、「画像シフト」、「鏡像」、「リピート」および「拡大連写」）が所属する。さらに、「仕立て」グループＧ４には、４つの機能（「ＯＨＰ合紙」、「カバーシート」、「インターシート」および「章分け」）が所属し、「画質／濃度」グループＧ５には、３つの機能（「下地調整」、「文字再現」および「光沢コピー」）が所属する。
【００６８】
このような分類の結果、全２４個の機能に対応する合計２４個のアイコンが、対応する機能の属性に応じて複数のグループＧ１〜Ｇ５に分類（カテゴライズ）される。同様に、全２４個の機能に対応する全２４個の機能ボタンＢｉも、対応する機能の属性に応じて複数のグループＧ１〜Ｇ５に分類（カテゴライズ）される。なお、これらの複数のグループＧ１〜Ｇ５は、機能ボタン（およびアイコン）の分類用のグループあるいは分類先のグループなどとも表現される。
【００６９】
そして、上記のアイコン表示領域３５０においては、上述の「２４」個の機能に対応する合計２４個のアイコンが、水平方向において略直線状に配列された状態且つ機能グループごとに纏めて配置された状態で表示される。たとえば、アイコン表示領域３５０の左端側の７つのアイコンは、基本設定グループＧ１の７つの機能（「カラー」、「濃度」、「原稿画質」、「用紙」、「倍率」、「両面／ページ集約」および「仕上り」）にそれぞれ対応するアイコンである。その右側には、原稿グループＧ２の４つの機能にそれぞれ対応する４つのアイコンが配列されている。同様にさらにその右側には、レイアウトグループＧ３の６つの機能にそれぞれ対応する６つのアイコンが配列されている。さらにその右側には、仕立てグループＧ４の４つの機能にそれぞれ対応する４つのアイコン、および画質／濃度グループＧ５の３つの機能にそれぞれ対応する３つのアイコンが水平方向に順次配列されている。このように、全２４個のアイコンは、対応する機能ボタンＢｉの機能の属性に応じて複数のグループに分類（カテゴライズ）された状態でアイコン表示領域３５０に表示される。
【００７０】
さらに、この応用設定メニュー画面３００には、スライダ３４０が設けられている。スライダ３４０は、アイコン表示領域３５０内の上述の複数のアイコンの直上部分に配置されている。スライダ３４０は、図５に示すように、スライドバー３４１と枠部３４２とを備えている。枠部３４２は、上述の複数のアイコンのうち、ボタン表示領域３１０での表示対象ボタンに対応するアイコン、を包囲する（仮想的な）部材である。スライドバー３４１は、ユーザの手指等による押下操作の対象となる（仮想的な）部材である。
【００７１】
スライダ３４０は、ユーザからの移動指示操作（スライドバー３４１を用いた移動操作）に応答して水平方向に移動することが可能であり、当該スライダ３４０の移動に応じてボタン表示領域３１０内の機能ボタンがスクロールされる。たとえば、スライドバー３４１がユーザ操作によって右方向に徐々に移動されると、ボタン表示領域３１０内の各機能ボタンＢｉが左向きに徐々に移動（スクロール）していく。換言すれば、ボタン表示領域３１０において比較的右側に配置されていたボタンが順次に新たな表示対象ボタンとして選択（決定）される。
【００７２】
このように、ボタン表示領域３１０においては、スライダ３４０を用いたスクロール操作に応じてスクロール表示が行われる。具体的には、スライダ３４０を左端から右端へと移動することによって、仮想的に一列に配列された複数の機能ボタンＢｉのうちの左端の機能ボタンＢ１を含む状態から右端の機能ボタンＢ２４を含む状態へと、ボタン表示領域３１０の表示内容が変更される。逆に、スライダ３４０を右端から左端へと移動することによって、仮想的に一列に配列された複数の機能ボタンＢｉのうちの右端の機能ボタンＢ２４を含む状態から左端の機能ボタンＢ１を含む状態へと、ボタン表示領域３１０の表示内容が変更される。
【００７３】
たとえば、図６においては、スライダ３４０の移動操作（具体的には、スライダ３４０の左端を画面の中央付近へと移動させる移動操作）等によって変更された応用設定メニュー画面３００が表示されている。図６においては、「レイアウト」グループＧ３の６つの機能ボタンＢｉを含む８つの機能ボタンが、ボタン表示領域３１０における表示対象ボタンとして表示されている。
【００７４】
また、応用設定メニュー画面３００には、移動指示入力キー３８１と移動指示入力キー３８２とが設けられている。
【００７５】
ユーザは、これらのキー３８１，３８２を用いることによっても、ボタン表示領域３１０におけるスクロール表示（表示対象ボタンの変更）を実現することが可能である。
【００７６】
移動指示入力キー３８１は、ボタン表示領域３１０に表示する一部の機能ボタンＢｉの表示対象範囲を右向きに移動させるスクロール指示入力を受け付ける。移動指示入力キー３８１がユーザによって押下されると、ボタン表示領域３１０内の一部の機能ボタンＢｉが左向きに一定量（例えば、機能ボタンＢｉの１個分）スクロールされ、移動後の位置に対応する新たな一部の機能ボタンＢｉが表示される。なお、機能ボタンＢｉは、表示対象範囲の移動の向きとは逆の向きにスクロール移動する。
【００７７】
移動指示入力キー３８２は、移動指示入力キー３８１とは逆向きのスクロール指示入力を受け付ける。具体的には、移動指示入力キー３８２は、ボタン表示領域３１０に表示する一部の機能ボタンＢｉの表示対象範囲を左向きに移動させるスクロール指示入力を受け付ける。移動指示入力キー３８２がユーザによって押下されると、ボタン表示領域３１０内の一部の機能ボタンＢｉが今度は右向きに一定量（例えば、機能ボタンＢｉの１個分）移動され、移動後の位置に対応する新たな一部の機能ボタンＢｉが表示される。
【００７８】
このように、移動指示入力キー３８１および移動指示入力キー３８２は、スライダ３４０と同様に、スクロール動作を指示するスクロール指示入力、を受け付ける操作部材として機能する。
【００７９】
さらに、ボタン表示領域３１０の表示内容は、ボタン表示領域３１０自体に対するユーザによるタッチ操作（詳細にはフリック操作等）によっても変更される。具体的には、ボタン表示領域３１０付近に対する左向きのフリック操作によって、機能ボタンＢｉが左向きにスクロール移動し、ボタン表示領域３１０に表示する一部の機能ボタンＢｉの表示対象範囲が右向きに移動される。逆に、ボタン表示領域３１０付近に対する右向きのフリック操作によって、機能ボタンＢｉが右向きにスクロール移動し、ボタン表示領域３１０に表示する一部の機能ボタンＢｉの表示対象範囲が左向きに移動される。フリック操作に伴う機能ボタンＢｉの移動量は、フリック操作の速さに応じて変更される。
【００８０】
このように、ボタン表示領域３１０の表示対象ボタンに関するスクロール表示は、スライダ３４０を用いた操作、移動指示入力キー３８１，３８２を用いた操作、およびボタン表示領域３１０に対する直接的なフリック操作等を用いて実現される。
【００８１】
また、応用設定メニュー画面３００においてボタン表示領域３１０内のいずれかの機能ボタンＢｉが設定対象機能ボタン（設定対象の機能に対応するボタン）としてユーザにより選択されて押下されると、ＭＦＰ１０は、当該押下された機能ボタンに関する詳細設定用の詳細設定画面４００を表示する。たとえば、図６の応用設定メニュー画面３００においてボタン表示領域３１０内の機能ボタンＢ１２（「小冊子」ボタン）が押下されると、当該機能ボタンＢ１２に対応する詳細設定画面４００（図７）がポップアップ表示される。
【００８２】
図７は、機能ボタンＢ１２が押下された直後の様子を示す図である。図７の詳細設定画面４００は、機能ボタンＢ１２に対応する機能「小冊子」に関する詳細設定用の画面である。この詳細設定画面４００においては、機能「小冊子」の「ＯＮ（オン）」への切換を行うための「ＯＮ」ボタン４１１と、同機能「小冊子」の「ＯＦＦ（オフ）」への切換を行うための「ＯＦＦ」ボタン４１２とが設けられている。また、詳細設定画面４００には、「左開き」および「右開き」のいずれを採用するかを設定する設定項目等も設けられている。
【００８３】
図７に示すように、詳細設定画面４００は、上側に配置された設定対象機能ボタン（ここではＢ１２）を隠さないように、主に設定対象機能ボタンよりも下側に表示される。また、詳細設定画面４００と設定対象機能ボタンとが関連している旨を示すため、詳細設定画面４００は、設定対象機能ボタンから吹き出すような形状を有している。より具体的には、詳細設定画面４００は、比較的小さな四角形（略正方形）と比較的大きな四角形（横長の長方形）とが当該横長の長方形の上辺の一部において結合した形状（Ｌ字型形状とも称される）を有している。
【００８４】
当該横長の長方形に係る部分は、設定対象機能ボタンに対応する機能（たとえば、「小冊子」）に関する各種の設定項目等が配置される図形（設定項目配置用図形とも称される）部分である。当該長方形に係る部分は、設定対象機能ボタンに重ならないように当該設定対象機能ボタン（ボタン表示領域３１０）の下側に配置される。
【００８５】
また、上記略正方形に係る部分は、上記横長長方形から上向きに突出する部分（突出部分）であるとも表現され、吹き出すような形状を有する図形のうちの吹出元の位置（吹出位置）を示す図形（吹出起点図形とも称される）である。当該略正方形に係る部分は、設定対象機能ボタンとほぼ同じ大きさを有するものの、設定対象機能ボタンよりも若干大きく、当該略正方形に係る部分には、設定対象機能ボタンが重畳して配置される。換言すれば、詳細設定画面４００の突出部分（略正方形部分）は、設定対象機能ボタンに接触（且つ包囲）するように配置されている。なお、当該突出部分は、上記横長長方形部分（設定項目配置用図形）からの突出量を低減し、設定対象機能ボタンに接触せずに近接するように配置されてもよい。これによっても、設定対象機能ボタンとの関連性の存在を示すことが可能である。
【００８６】
このように、設定対象機能ボタンに対応する詳細設定画面４００は、設定対象機能ボタンとの関連性の存在を示す図形部分（矩形形状の突出部分）を有するとともに、設定対象機能ボタンを隠さないように配置される。
【００８７】
なお、図７では、画面内の左端に存在する機能ボタンＢ１２が押下されたときに表示される詳細設定画面４００が示されている。ただし、機能ボタンＢ１２は、スクロールの状況に依って、様々な位置に存在し得る（図８および図９等参照）。図８および図９は、それぞれ、スクロール操作に応じて機能ボタンＢ１２がその他の位置に移動された後に機能ボタンＢ１２の押下に応じて表示される詳細設定画面４００を示している。詳細には、図８には、スクロール操作に応じて機能ボタンＢ１２が水平方向略中央に移動された後に、略中央に存在する当該機能ボタンＢ１２の押下に応じて表示される詳細設定画面４００が示されている。また、図９には、スクロール操作に応じて機能ボタンＢ１２がさらに右側に移動された後に、当該機能ボタンＢ１２の押下に応じて表示される詳細設定画面４００が示されている。図７〜図９に示すように、機能ボタンＢｉとの関連性の存在を示すための突出部分は、押下された機能ボタンＢｉの存在位置に対応する位置に表示される。
【００８８】
また、図７において、「小冊子」機能をオンにすべき旨の設定操作（「ＯＮ（オン）」ボタン４１１に対する押下操作）がなされると、「小冊子」機能が「ＯＦＦ（オフ）」から「ＯＮ（オン）」に変更される。
【００８９】
その後、何らかの事情によって詳細設定画面４００内のキャンセルボタン４３１が押下されると、詳細設定画面４００を用いた設定変更内容がキャンセルされ、詳細設定操作が中断される。そして、詳細設定画面４００が非表示にされ、応用設定メニュー画面３００（図６）が最前面に表示される。
【００９０】
一方、図７の詳細設定画面４００内のＯＫボタン４３２が押下されると、当該詳細設定画面４００を用いた設定変更内容が実際の設定に反映され、詳細設定操作が完了する。そして、詳細設定画面４００が非表示にされ、応用設定メニュー画面３００（図１０）が最前面に表示される。
【００９１】
ただし、詳細設定操作完了後の応用設定メニュー画面３００（図１０）においては、「小冊子」機能等に関して設定変更がなされた旨が「目印」（ここでは「丸」）を用いて示される。具体的には、応用設定メニュー画面３００において設定対象として決定（選択）された機能ボタン（設定対象機能ボタンとも称する）Ｂｉに対応する詳細設定画面４００を用いた設定操作が行われると、当該設定操作に伴って設定変更された全ての機能に対応する各機能ボタンに対して「目印」が付される。
【００９２】
より詳細には、「小冊子」機能をオンにする設定操作がなされると、当該設定操作に伴って４つの機能が設定変更される。具体的には、まず、機能項目「小冊子」自身に関する設定内容が「オフ」から「オン」へと変更される。さらに、当該設定操作に連動して３つの機能が自動的に設定変更される。詳細には、機能項目「倍率」（倍率変更機能）に関する設定内容が「１００％」から「７０．７％」へと変更され、機能項目「片面／両面」（出力面設定機能（両面出力機能））に関する設定内容が「片面」から「両面」へと変更され、機能項目「仕上り」（仕上り変更機能）に関する設定内容が「グループごと」から「一部ごと」へと変更される。そして、設定変更された機能（「小冊子」、「倍率」、「両面／ページ集約」、「仕上り」に対応する全ての機能ボタン（ここでは４つの機能ボタンＢ１２，Ｂ５，Ｂ６，Ｂ７）に対して、設定変更がなされた旨を示す目印（ここでは丸印）が当該各機能ボタン内の右上に部分付される。
【００９３】
これによれば、「小冊子」機能の設定操作に伴って設定変更された機能を比較的容易に視認することが可能である。より詳細には、まず、図１０の応用設定メニュー画面３００において、「小冊子」機能ボタンＢ１２の右上部分に付された目印を視認することが可能である。また、スクロール操作を行って図１１のような応用設定メニュー画面３００を表示させることによって、「倍率」機能ボタンＢ５、「両面／ページ集約」機能ボタンＢ６、および「仕上り」機能ボタンＢ７のそれぞれの右上部分に付された各目印を視認することが可能である。
【００９４】
また、応用設定メニュー画面３００においては、設定画面の表示モードを２つの表示モードＭ１，Ｍ２の相互間で切り換えるためのモード切換ボタン３９１，３９２（切換操作手段）が設けられている。モード切換ボタン３９１は、一列表示モードＭ１へと切り換えるためのボタンであり、モード切換ボタン３９２は、グリッド表示モードＭ２へと切り換えるためのボタンである。
【００９５】
この応用設定メニュー画面３００（図５および図６等参照）では、一方のモード切換ボタン（一列表示モード指定ボタンとも称される）３９１が強調表示（太枠表示）（着色表示等であってもよい）されることによって、一列表示モードＭ１が現在選択中であることが示されている。応用設定メニュー画面３００（図５等）において、他方のモード切換ボタン（グリッド表示モード指定ボタンとも称される）３９２が押下されると、一列表示モードＭ１からグリッド表示モードＭ２への切換動作が実行される。グリッド表示モードＭ２への切換直後においては、初期状態の応用設定メニュー画面５００（図１２）が表示される。また、一列表示モードＭ１における詳細設定画面４００（図７等）の表示中にモード切換ボタン３９２が押下された場合にも、同様に、初期状態の応用設定メニュー画面５００（図１２）が表示される。この場合、詳細設定画面４００（図７）による設定中の内容はキャンセルされた上で、グリッド表示モードＭ２への遷移が行われる。なお、図７等に示すように、詳細設定画面４００の表示中においては、モード切換ボタン３９１，３９２は、詳細設定画面４００との重複を避けるために、応用設定メニュー画面３００内の上側に（移動して）表示される。
【００９６】
＜１−４．グリッド表示モード＞
つぎに、グリッド表示モードＭ２における応用設定メニュー画面５００等について説明する。
【００９７】
図１２は、グリッド表示モードＭ２における応用設定メニュー画面５００を示す図である。応用設定メニュー画面５００においても、一列表示モードＭ１の応用設定メニュー画面３００と同様に機能ボタンＢｉが表示される。ただし、一度に表示される機能ボタンＢｉの数、および、機能ボタンＢｉの配置等が、一列表示モードＭ１における応用設定メニュー画面３００とは相違している。
【００９８】
図１２に示すように、応用設定メニュー画面５００は、複数の機能ボタンＢｉのうちの少なくとも一部の機能ボタンをグリッド状に配置して表示するボタン表示領域５１０を有している。換言すれば、当該ボタン表示領域５１０においては、当該少なくとも一部の機能ボタンが異なる２つの方向（横方向および縦方向）にそれぞれ整列して配置される。ここでは、ボタン表示領域５１０においては、合計１５個の機能ボタンＢｉが横方向に５列且つ縦方向に３列に配置されて表示され得る。すなわち、最大で１５個の機能ボタンＢｉが一度に表示され得る。換言すれば、応用設定メニュー画面５００における機能ボタンＢｉの最大配置数は、「１５」である。応用設定メニュー画面５００においては、機能ボタンＢｉの総数（たとえば２４個）が最大配置数（たとえば１５個）を超える場合には、複数の機能ボタンＢｉが複数のページに区分されて配置される。ここでは、２４個の機能ボタンＢｉが最大配置数「１５」を超えており、２４個の機能ボタンＢｉが２ページに区分されて配置される（図１２および図１３参照）。
【００９９】
具体的には、第１ページ（図１２参照）においては、「基本設定」グループＧ１に関する７つの機能ボタンのうち５つの機能ボタンＢ１〜Ｂ５がボタン表示領域５１０の最上段に配置される。また、ボタン表示領域５１０の中段には、「基本設定」グループＧ１に関する残り２つの機能ボタンＢ６，Ｂ７と、「原稿」グループＧ２に関する５つの機能ボタンのうち３つの機能ボタンＢ８〜Ｂ１０とが配置される。また、ボタン表示領域５１０の最下段には、「原稿」グループＧ２に関する残り１つの機能ボタンＢ１１と、「レイアウト」グループＧ３に関する６つの機能ボタンのうち４つの機能ボタンＢ１２〜Ｂ１５とが配置される。
【０１００】
第２ページ（図１３参照）においては、「レイアウト」グループＧ３に関する残り２つのボタンＢ１６，Ｂ１７と、「仕立て」グループＧ４に関する４つの機能ボタンのうち３つの機能ボタンＢ１８〜Ｂ２０がボタン表示領域５１０の最上段に配置される。また、ボタン表示領域５１０の中段には、「仕立て」グループＧ４に関する残り１つの機能ボタンＢ２１と、「画質／濃度」グループＧ５に関する３つの機能ボタンＢ２２〜Ｂ２４とが配置される。なお、ここでは、第２ページのボタン表示領域５１０の中段の右端位置とボタン表示領域５１０の最下段の各位置とは「空き」位置であり、機能ボタンは配置されない。
【０１０１】
ページ相互間の移動は、ページ変更ボタン５８１の押下操作（ページ戻し指示操作），ページ変更ボタン５８２の押下操作（ページ送り指示操作）に応じて実現される。詳細には、応用設定メニュー画面５００の第１ページ（図１２）が表示されているときに右側のページ変更ボタン５８２が押下されると、応用設定メニュー画面５００の第２ページ（図１３）が表示される。逆に、応用設定メニュー画面５００の第２ページが表示されているときに左側のページ変更ボタン５８１が押下されると、応用設定メニュー画面５００の第１ページが表示される。
【０１０２】
また、ページ相互間の移動操作は、ボタン表示領域５１０に対する直接的なフリック操作によっても実現される。なお、グリッド表示モードＭ２においては、表示対象の機能ボタンはページ単位でのみ変更され得る。
【０１０３】
ここにおいて、グリッド表示モードＭ２では、複数のページのそれぞれに配置される各機能ボタンは、それぞれ各ページ内において常に同じ位置（固定位置）に表示される。換言すれば、各機能ボタンは、それぞれ固有の位置（固有位置）に配置される。そのため、ユーザは、「小冊子」ボタンの位置（たとえば、「第１ページの最下段の左から２番目」）を記憶している場合には、比較的容易に所望のボタンを探し出すことができる。
【０１０４】
また、グリッド表示モードＭ２における各機能ボタンＢｉの大きさは、一列表示モードＭ１における各機能ボタンＢｉの大きさと同じである。これによれば、一列表示モードＭ１とグリッド表示モードＭ２との切換が行われる場合でも、ユーザは両モードＭ１，Ｍ２にて統一的な操作感を得ることができる。
【０１０５】
また、応用設定メニュー画面５００においてボタン表示領域５１０内のいずれかの機能ボタンＢｉが設定対象機能ボタンとしてユーザにより選択されて押下されると、ＭＦＰ１０は、当該押下された機能ボタン（設定対象機能ボタン）に対応する詳細設定画面６００を表示する。たとえば、図１２の応用設定メニュー画面５００においてボタン表示領域５１０内の機能ボタンＢ１２（「小冊子」ボタン）が押下されると、当該機能ボタンＢ１２に関する詳細設定用の詳細設定画面６００（図１４）を表示する。
【０１０６】
図１４は、機能ボタンＢ１２が押下された直後にポップアップ表示される詳細設定画面６００を示す図である。この詳細設定画面６００は、機能ボタンＢ１２に対応する機能「小冊子」に関する詳細設定用の画面である。グリッド表示モードＭ２における詳細設定画面６００は、一列表示モードＭ１における詳細設定画面４００と同じ内容を有している。具体的には、詳細設定画面６００には、機能「小冊子」の「ＯＮ（オン）」への切換を行うための「ＯＮ」ボタン６１１と同機能「小冊子」の「ＯＦＦ（オフ）」への切換を行うための「ＯＦＦ」ボタン６１２とが設けられている。また、詳細設定画面６００は、「左開き」および「右開き」のいずれを採用するかを設定する設定項目等を詳細設定画面４００と同様に有している。
【０１０７】
図１４に示すように、グリッド表示モードＭ２における詳細設定画面６００は、所定の位置（ここでは上下方向（縦方向）と左右方向（横方向）とのそれぞれにおいて略中央）に表示される。この詳細設定画面６００は、設定対象機能ボタンに依拠することなく、常に同じ位置（共通位置）に表示される。換言すれば、詳細設定画面６００は、何れのボタンが設定対象機能ボタンとして選択されたかに依存しない固定位置（共通の所定位置）に表示される。このように、いずれの機能ボタンＢｉが設定対象機能ボタンとして選択されたかに依拠することなく、グリッド表示モードＭ２の各詳細設定画面６００はタッチスクリーン２５内にて常に所定の位置（共通位置）に表示される。したがって、各機能ボタンＢｉの押下に応じて表示される異なる複数の詳細設定画面６００において、統一的な操作感をユーザに与えることが可能である。換言すれば、複数の詳細設定画面６００は、いずれも所定の位置（共通位置）に表示されるので、複数の機能の詳細設定画面の相互間において統一感（一貫性）を持たせることが可能である。
【０１０８】
なお、グリッド表示モードＭ２においては、詳細設定画面６００と設定対象機能ボタンとの関連性を示すような表示（図７のような吹き出し状表示）（「関連付け表示」とも称する）は特には行われない。グリッド表示モードＭ２においては、各機能ボタンＢｉが各ページにおいて常に同じ位置（各機能ボタンに固有の位置（固定位置））に表示されており、一列表示モードＭ１のような状況、すなわち機能ボタンＢ１２がスクロールの状況に依って様々な位置に移動するという状況が発生しない。その結果、ユーザは、機能ボタンＢｉを押し間違えることも比較的少なく、機能ボタンＢｉの位置（特に、よく使う機能ボタンＢｉの位置）を比較的容易に記憶することもが可能である。したがって、機能ボタンＢｉと詳細設定画面６００との関連性を示す表示を行う必要性が低いと考えられ、この実施形態においては、詳細設定画面６００と設定対象機能ボタンとの関連性を示す表示は特には行われない。
【０１０９】
また、図１４において、「小冊子」機能をオンにすべき旨の設定操作（「ＯＮ（オン）」ボタン６１１に対する押下操作）がなされると、「小冊子」機能が「ＯＦＦ（オフ）」から「ＯＮ（オン）」に設定変更される。
【０１１０】
その後、何らかの事情によって詳細設定画面６００内のキャンセルボタン６３１が押下されると、詳細設定画面６００を用いた設定変更内容がキャンセルされ、詳細設定操作が中断される。そして、詳細設定画面６００が非表示にされ、応用設定メニュー画面５００（図１２）が最前面に表示される。
【０１１１】
一方、図１４の詳細設定画面４００内のＯＫボタン６３２が押下されると、当該詳細設定画面６００を用いた設定変更内容が実際の設定に反映され、詳細設定操作が完了する。そして、詳細設定画面６００が非表示にされ、応用設定メニュー画面５００（図１５）が最前面に表示される。
【０１１２】
ただし、戻り後の応用設定メニュー画面５００（図１５）においては、「小冊子」機能等に関して設定変更がなされた旨が「目印」を用いて示される。具体的には、応用設定メニュー画面５００において設定対象として選択された機能ボタン（設定対象機能ボタンとも称する）Ｂｉに対応する詳細設定画面を用いた設定操作が行われると、当該設定操作に伴って設定変更された全ての機能に対応する各機能ボタンに対して「目印」が付される。図１５においては、設定変更された機能（「小冊子」、「倍率」、「両面／ページ集約」、「仕上り」）に対応する全ての機能ボタンＢ１２，Ｂ５，Ｂ６，Ｂ７のそれぞれの右上部分に「目印」（ここでは丸印）が付されている。
【０１１３】
これによれば、「小冊子」機能の設定操作に伴って設定変更された機能を比較的容易に視認することが可能である。特に、設定変更された全ての機能に対応する４つの機能ボタンＢ１２，Ｂ５，Ｂ６，Ｂ７のいずれもが単一の応用設定メニュー画面５００内に表示されているとともに、当該機能ボタンＢ１２，Ｂ５，Ｂ６，Ｂ７に目印が付されている。したがって、ユーザは、目印が付された４つの機能ボタンの全てをスクロール操作を伴うことなく視線の移動のみで確認することが可能である。
【０１１４】
また、応用設定メニュー画面５００においては、設定画面の表示モードを２つの表示モードＭ１，Ｍ２の相互間で切り換えるためのモード切換ボタン５９１，５９２（モード切換指示を受け付けるボタン）が設けられている。モード切換ボタン５９１は、一列表示モードＭ１へと切り換えるためのボタンであり、モード切換ボタン５９２は、グリッド表示モードＭ２へと切り換えるためのボタンである。モード切換ボタン５９１は、モード切換ボタン３９１と同じ形状および同じ大きさを有しており、モード切換ボタン５９２は、モード切換ボタン３９２と同じ形状および同じ大きさを有している。
【０１１５】
この応用設定メニュー画面５００（図１２および図１３も参照）では、モード切換ボタン５９２が強調表示（太枠表示）（着色表示等であってもよい）されることによって、グリッド表示モードＭ２が現在選択中であることが示されている。また、応用設定メニュー画面５００（図１２等）において、もう１つのモード切換ボタン５９１が押下されると、グリッド表示モードＭ２から一列表示モードＭ１への切換動作が実行される。一列表示モードＭ１への切換直後においては、初期状態の応用設定メニュー画面３００（図５）が表示される。また、グリッド表示モードＭ２における詳細設定画面６００（図１４）の表示中にモード切換ボタン５９１が押下された場合にも、同様に、初期状態の応用設定メニュー画面３００（図５）が表示される。この場合、詳細設定画面６００（図１４）による設定中の内容はキャンセルされた上で、一列表示モードＭ１への遷移が行われる。
【０１１６】
このように、これらの２種類の応用設定メニュー画面３００，５００は、モード切換ボタン３９２，５９１を用いて互いに切り換えて表示される。
【０１１７】
以上のような態様によれば、異なる特質を有する２つの表示モードＭ１，Ｍ２がモード切換ボタン３９２，５９１を用いて互いに切り換えられる。詳細には、一列表示モードＭ１の応用設定メニュー画面３００とグリッド表示モードＭ２の応用設定メニュー画面５００との両メニュー画面のうち現在表示中のメニュー画面に表示されたモード切換ボタン（３９２，５９１）に対する押下操作に応答して、ＭＦＰ１０は、表示モード切換処理を実行する。
【０１１８】
ここにおいて、一列表示モードＭ１では、上述のように、ユーザは、多数の機能ボタンの中から所望の機能ボタンを探す際に、所定数の機能ボタンを所定方向に一列に配置したボタン表示領域３１０にて当該所定方向（１方向）にのみ視線を移動させればよい、という利点を得ることができる。しかしながら、一列表示モードＭ１においては、多数の機能ボタンがスクロールされて表示され所望のボタンの位置は画面内において随時移動するため、ユーザが所望のボタンを見逃してしまうこともある、との難点が存在する。また、画面内に配置できる数を一定個数（たとえば１０個）以上に増やすことは困難であるため、一覧性に劣る、という難点も存在する。
【０１１９】
一方、グリッド表示モードＭ２では、グリッド状（２次元状）配置によって、比較的多数（たとえば２４個）の機能ボタンを画面内に一度に表示することが可能であり、比較的高い一覧性を得ることが可能である。また、グリッド状表示技術においては、多数の機能ボタンがそれぞれ常に同じ位置（固有の位置）に表示されるので、ユーザは、所望の機能ボタンの位置を記憶している場合には、所望の機能ボタンに比較的早くアクセスすることが可能である。しかしながら、グリッド状表示技術においては、ユーザは、メニュー画面内から所望のボタンを探す際において、横方向と縦方向との２方向において所望のボタンの存在を目で追いかけていくことが求められるので、目で追いにくくなるという難点もある。
【０１２０】
上記実施形態においては、ユーザは、このような２種類の表示モードＭ１，Ｍ２をモード切換ボタン３９２，５９１を用いて切り換えることが可能である。したがって、ユーザは、自らの利用の仕方或いは好み（嗜好）等に応じて、２種類の表示モードＭ１，Ｍ２のうち所望の表示モードを適宜選択することが可能であり、ユーザの操作性を向上させることが可能である。
【０１２１】
＜２．第２実施形態＞
第２実施形態は、第１実施形態の変形例である。以下、第１実施形態との相違点を中心に説明する。
【０１２２】
上記第１実施形態においては、手動操作（詳細には、モード切換ボタンの押下操作）に応答して、表示モード切換処理が実行される態様を例示した。
【０１２３】
この第２実施形態においては、所定の条件が充足される場合に表示モード切換処理が自動的に実行される態様を例示する。
【０１２４】
図１６は、第２実施形態に係る動作を示すフローチャートである。このフローチャートに係る動作は、詳細設定画面４００を用いた設定操作の終了直後に、ＭＦＰ１０によって実行される。たとえば、一列表示モードＭ１の応用設定メニュー画面３００（図６）にて設定対象機能ボタンが選択され、当該設定対象機能ボタンに対応する詳細設定画面４００（図７）を用いて設定操作が行われた後に実行される。より詳細には、一列表示モードＭ１における詳細設定画面４００（図７参照）を用いた設定操作が行われ且つＯＫボタン４３２（図７参照）が押下された直後に、図１６のフローチャートが実行される。
【０１２５】
具体的には、まず、ステップＳ２２において、詳細設定画面による設定処理が「単独機能設定」か「連動機能設定」かが判定される。ここにおいて、「単独機能設定」は、或る機能に関する詳細設定画面を用いた設定操作に応じて、当該機能のみ（単一の機能）に関して設定内容が変更される設定処理である。一方、「連動機能設定」は、或る機能に関する詳細設定画面を用いた設定操作に応じて、当該機能のみに関して設定内容が変更されるとともに当該機能以外の機能に関する設定内容も連動して自動的に変更される設定処理である。
【０１２６】
たとえば、上述のように、機能「小冊子」に関する設定が「ＯＦＦ」から「ＯＮ」に変更されると、その他の３つの機能（「倍率」、「両面／ページ集約」、「仕上り」）機能に関する設定変更も連動して（自動的に）行われる。そのため、機能「小冊子」に関する設定は、「連動機能設定」であると判定される。なお、機能「濃度」に関する設定が変更されるときには当該機能「濃度」に関する変更のみが実行されるので、機能「濃度」に関する設定は「単独機能設定」である。
【０１２７】
ステップＳ２２において詳細設定画面による設定処理が「単独機能設定」であると判定される場合には、表示モードの変更を伴わずに図１６の処理は終了する。たとえば、機能「濃度」に関する設定処理が行われたときには、当該設定処理が単独機能設定であると判定され、一列表示モードＭ１が維持されて応用設定メニュー画面３００が表示される。
【０１２８】
一方、ステップＳ２２において詳細設定画面による設定処理が「連動機能設定」であると判定される場合には、ステップＳ２３に進む。
【０１２９】
ステップＳ２３においては、設定操作（「連動機能設定」に係る設定操作）に伴って設定変更された２以上の機能（当該設定操作に連動して自動的に設定変更された機能を含む）に対応する２以上の機能ボタンが、直前の応用設定メニュー画面３００内にて一度に表示されていたか否かが判定される。
【０１３０】
当該２以上の機能ボタンが応用設定メニュー画面３００内にて一度に表示されていたと判定される場合には、図１６の処理は終了し、一列表示モードＭ１が維持されて応用設定メニュー画面３００が表示される。
【０１３１】
たとえば、仮に、図６ではなく図５の応用設定メニュー画面３００内の機能ボタンＢ６に応答して表示される詳細設定画面４００（不図示）にて、機能「ページ集約」に関して「ＯＦＦ」から「２ｉｎ１」への設定操作（「連動機能設定」に係る設定操作）が行われると、当該設定操作に伴って２以上の機能（ここでは３つの機能）が設定変更される。具体的には、機能「ページ集約」に関する設定が「ＯＦＦ」から「２ｉｎ１」に変更されるとともに、その他の２つの機能（「倍率」、「仕上り」）機能に関する変更も連動して（自動的に）行われる。この場合には、当該３つの機能（「ページ集約」、「倍率」、「仕上り」）に対応する３つの機能ボタンＢ６，Ｂ５，Ｂ７が直前の応用設定メニュー画面３００（図５）内にて一度に表示されていた旨が判定される。そして、グリッド表示モードＭ２への切換が行われることなく、一列表示モードＭ１の応用設定メニュー画面３００が表示される（図１７参照）。この場合、グリッド表示モードＭ２への切換が行われなくても、ユーザは、この応用設定メニュー画面３００（図１７）において、設定変更された３つの機能に対応する３つの機能ボタンＢ５，Ｂ６，Ｂ７を一度に視認することが可能である。
【０１３２】
一方、当該２以上の機能ボタンが応用設定メニュー画面３００内にて一度に表示されていなかったと判定される場合には、ステップＳ２３からステップＳ２４に進む。
【０１３３】
たとえば、機能「小冊子」に関して「ＯＦＦ」から「ＯＮ」への設定操作（「連動機能設定」に係る設定操作）が行われると、当該設定操作に伴って２以上の機能（ここでは４つの機能（当該設定操作に連動して自動的に設定変更された３つの機能を含む））が設定変更される。この場合には、当該４つの機能に対応する４つの機能ボタンＢ５，Ｂ６，Ｂ７，Ｂ１２が直前の応用設定メニュー画面３００（図６）内にて一度に表示されていなかった旨が判定される。そして、ステップＳ２４に進む。
【０１３４】
ステップＳ２４では、グリッド表示モードＭ２の応用設定メニュー画面５００において当該２以上の機能ボタンを全て含む一のページ（ページ画面とも称する）が存在するか否か、がさらに判定される。
【０１３５】
当該２以上の機能ボタンを全て含む一のページ画面が存在しない場合には、表示モードの変更を伴わずに図１６の処理は終了し、一列表示モードＭ１が維持されて応用設定メニュー画面３００が表示される。
【０１３６】
一方、ステップＳ２４において、当該２以上の機能ボタンを全て含む一のページ画面が存在する場合には、ステップＳ２５に進む。ステップＳ２５では、表示モードを一列表示モードＭ１からグリッド表示モードＭ２へと切り換える処理が実行される。具体的には、一列表示モードＭ１の応用設定メニュー画面３００に代えて、グリッド表示モードＭ２の応用設定メニュー画面５００（詳細には、その第１ページのページ画面）が表示される。
【０１３７】
たとえば、上述の４つの機能ボタンＢ５，Ｂ６，Ｂ７，Ｂ１２が直前の応用設定メニュー画面３００（図６）内にて一度に表示されておらず且つ当該４つの機能ボタンを全て含む一のページ画面５００が存在する場合には、図１５に示すような当該ページ画面５００が、応用設定メニュー画面３００に代えて表示される。図１５においては、グリッド表示モードＭ２の応用設定メニュー画面５００（詳細には、その第１ページのページ画面）が示されている。
【０１３８】
また、図１５に示すように、切換後の応用設定メニュー画面５００においては、設定変更がなされた旨を示す「目印」が、設定変更がなされた２以上の機能ボタン（たとえば、４つの機能ボタンＢ５，Ｂ６，Ｂ７，Ｂ１２）の全てに対して付される。
【０１３９】
このように、機能「小冊子」に関して「ＯＦＦ」から「ＯＮ」への設定操作（「連動機能設定」に係る設定操作）が行われると、当該設定操作に伴って設定変更された４つの機能に対応する４つの機能ボタンを含む応用設定メニュー画面５００（図１５）が、直前の応用設定メニュー画面３００（図６）に代えて自動的に表示される。設定変更された４つの機能（「小冊子」、「倍率」、「両面／ページ集約」、「仕上り」）に対応する４つの機能ボタンＢ１２，Ｂ５，Ｂ６，Ｂ７は、変更後のメニュー画面５００（図１５）においていずれも表示（端的に言えば一覧表示）されている。より詳細には、変更前の画面３００（図６）では、当該４つの機能ボタンのうち比較的少数の機能ボタン（具体的には、１個の機能ボタンＢ１２）しか一度に視認され得ないのに対して、変更後の画面５００（図１５）では、当該４つの機能ボタンＢ１２，Ｂ５，Ｂ６，Ｂ７の全てが一度に視認され得る。したがって、ユーザは、当該４つの機能に関する設定状態をより容易に確認することが可能である。換言すれば、ユーザの操作性を向上させることが可能である。
【０１４０】
特に、設定変更がなされた４つの機能に対応する機能ボタンに対して「目印」（設定変更がなされた旨を示す目印画像）が付される場合には、「目印」が付された４つの機能ボタンＢ１２，Ｂ５，Ｂ６，Ｂ７を応用設定メニュー画面５００（図１５）で一度に視認できる。したがって、当該４つの機能に設定変更がなされた旨を容易に確認することが可能である。また、各機能ボタンＢ１２，Ｂ５，Ｂ６，Ｂ７には、変更後の設定内容（「ＯＮ」、「７０．７％」、「片面→両面」、「一部ごと」等）がそれぞれ重畳して表示されているので、変更後の設定内容自体をも容易に確認することが可能である。
【０１４１】
なお、上記第２実施形態においては、設定変更された機能に係る２以上の機能ボタンの全てを含むページ画面５００が存在することがステップＳ２４にて判定される場合に、表示モードの切換処理が実行されているが、本発明はこれに限定されない。たとえば、設定変更された機能に係る２以上の機能ボタンの全てを含むページ画面が存在しない場合にも、グリッド表示モードＭ２への切換処理が行われるようにしてもよい。より詳細には、グリッド表示モードＭ２に係る複数のページ画面（応用設定メニュー画面５００）のうち、当該２以上の機能ボタンのうちの少なくとも１つの機能ボタンを有するページ画面が新たに表示されるようにしてもよい。特に、当該２以上の機能ボタンのいずれかを有し且つ当該２以上の機能ボタンのうち最も多数の機能ボタンを有するページ画面が新たに表示されることが好ましい。
【０１４２】
また、上記第２実施形態においては、ステップＳ２３において、当該２以上の機能ボタンが応用設定メニュー画面３００内にて一度に表示されていたか否かが判定されているが、これに限定されない。
【０１４３】
たとえば、当該２以上の機能ボタンを応用設定メニュー画面３００内にてスクロールを伴わずに一度に表示することができるか否かがステップＳ２３にて判定されるようにしてもよい。そして、当該２以上の機能ボタンを応用設定メニュー画面３００内にてスクロールを伴わずに一度に表示することができないと判定されることを条件として、表示モードの切換処理（ステップＳ２５）が行われるようにしてもよい。なお、当該２以上の機能ボタンを応用設定メニュー画面３００内にてスクロールを伴わずに一度に表示することができると判定される場合には、一列表示モードＭ１において表示対象機能ボタンの変更処理（スクロール処理）が自動的に行われることが好ましい。具体的には、当該２以上の機能ボタンの全てが所定数（たとえば８個）の表示対象機能ボタンに含まれるようにスクロールして、当該２以上の機能ボタンを応用設定メニュー画面３００内にてスクロールを伴わずに一度に表示するようにすればよい。
【０１４４】
＜３．第３実施形態＞
第３実施形態は、第２実施形態の変形例である。以下、第２実施形態との相違点を中心に説明する。
【０１４５】
上記第２実施形態においては、設定操作に伴って設定変更された２以上の機能に対応する２以上の機能ボタンが直前の応用設定メニュー画面３００内に一度に表示されていなかったこと等を条件として、表示モード切換処理が自動的に実行される態様を例示した。
【０１４６】
この第３実施形態においては、一列表示モードＭ１の応用設定メニュー画面３００を用いて設定変更された機能の数Ｎが所定値（たとえば、３個）を超える場合には、グリッド表示モードＭ２への表示モード切換処理が自動的に実行される態様を例示する。
【０１４７】
図１８は、第３実施形態における動作を示すフローチャートである。このフローチャートに係る動作は、詳細設定画面４００を用いた設定操作の終了直後にＭＦＰ１０によって実行される。たとえば、一列表示モードＭ１における詳細設定画面４００（図７参照）を用いた設定操作が行われ且つＯＫボタン４３２が押下された直後に、図１８のフローチャートが実行される。
【０１４８】
具体的には、まず、ステップＳ３２において、設定変更された機能の数（合計数）Ｎが所定数（たとえば、３個）を超えたか否かが判定される。たとえば、最初の１個の設定操作によって単一の機能の設定内容のみが変更されたと判定される場合には、表示モードの切換処理は実行されずに、図１８の処理は終了する。一方、次回以降の設定操作等によって、合計で所定数を超える数の機能の設定内容が変更されたと判定される場合には、ステップＳ３２からステップＳ３５に進む。なお、所定数を超える数の機能（連動して自動的に設定変更された機能を含む）の設定内容が単一の設定操作に応じて変更された場合にも、ステップＳ３５に進む。
【０１４９】
そして、ステップＳ３５では、表示モードを一列表示モードＭ１からグリッド表示モードＭ２へと切り換える処理が実行される。具体的には、一列表示モードＭ１の応用設定メニュー画面３００に代えて、グリッド表示モードＭ２の応用設定メニュー画面５００が表示される。詳細には、応用設定メニュー画面５００に関する複数のページ画面のうち、最も多数の機能ボタンを含むページ画面が自動的に選択されて、タッチスクリーン２５に表示される。
【０１５０】
たとえば、上述の４つの機能ボタンを全て含む一のページ画面５００（図１５等）が存在する場合には、当該ページ画面５００が応用設定メニュー画面３００に代えて表示される。あるいは、設定変更された４つの機能ボタンのうち単一の機能ボタンが第１のページ画面５００に配置され且つ残りの３つの機能ボタンが第２のページ画面５００に配置されている場合には、３つの機能（比較的多数の機能）を含む第２のページ画面５００が選択されて表示される。
【０１５１】
この第３実施形態によれば、一列表示モードＭ１の応用設定メニュー画面３００を用いて設定変更された機能の数が所定値を超える場合には、グリッド表示モードＭ２への表示モード切換処理が自動的に実行される。したがって、変更後の画面５００（図１５）では、設定変更された当該４つの機能ボタンＢ１２，Ｂ５，Ｂ６，Ｂ７のうちの少なくとも一部が一度に視認され得る。したがって、ユーザは、当該４つの機能に関する設定状態をより容易に確認することが可能である。
【０１５２】
なお、上記第３実施形態においては、応用設定メニュー画面３００を用いて設定変更された機能の数Ｎが所定値を超えるとステップＳ３２にて判定される場合、直ちに表示モードの切換処理（ステップＳ３５）が行われているが、これに限定されない。たとえば、設定変更されたＮ個の機能に対応するＮ個の機能ボタンを含む一のページ画面５００が存在することをも条件として、表示モードの切換処理（ステップＳ３５）が行われるようにしてもよい。
【０１５３】
＜４．第４実施形態＞
第４実施形態は、第２実施形態の変形例である。以下、第２実施形態との相違点を中心に説明する。
【０１５４】
第４実施形態においても、表示モード切換処理が自動的に実行される態様を例示する。ただし、表示モード切換処理が自動的に実行されるための条件等が異なる。この第４実施形態においては、一列表示モードＭ１の応用設定メニュー画面３００にて一往復のスクロール操作が行われる期間においてユーザによる機能ボタンの選択操作が行われない場合、表示モード切換処理が自動的に実行される。
【０１５５】
図１９は、第４実施形態に係るＭＦＰ１０の動作を示すフローチャートである。このフローチャートに係る動作は、一列表示モードＭ１の応用設定メニュー画面３００（図５および図６等参照）の表示中に行われる。また、一列表示モードＭ１においては、図５の応用設定メニュー画面３００が最初に表示されるものとする。図５の応用設定メニュー画面３００においては、一列表示モードＭ１において水平方向（横方向）に配列された複数の機能ボタンＢｉのうちの一方端のボタン（ここでは左端の機能ボタンＢ１）が、ボタン表示領域３１０の左端に表示されている。その後、ユーザのスクロール操作に応じてボタン表示領域３１０における表示対象ボタンは変更される。なお、図１９のフローチャートにおいては、スクロール動作を実行するための処理は省略されている。
【０１５６】
図１９のステップＳ４２においては、応用設定メニュー画面３００内のいずれかの機能ボタンＢｉが押下されたか否かが判定される。
【０１５７】
いずれかの機能ボタンＢｉが押下されたと判定されると、ステップＳ４８に進む。ステップＳ４８では、当該機能ボタンＢｉの押下に対応する処理（たとえば、当該機能ボタンＢｉに対応する詳細設定画面を用いた設定処理等）が行われる。
【０１５８】
一方、いずれの機能ボタンＢｉも押下されていないと判定されると、ステップＳ４３に進む。ステップＳ４３では、一列表示モードＭ１において水平方向（横方向）に配列された複数の機能ボタンＢｉのうちの他方端のボタン（ここでは右端の機能ボタンＢ２４）がボタン表示領域３１０の右端に表示される状態（図２０参照）、に遷移したか否かが判定される。図２０は、複数の機能ボタンが右端にまでスクロールした状態を示す図である。
【０１５９】
右端の機能ボタンＢ２４がボタン表示領域３１０の右端に表示される状態に遷移していない旨がステップＳ４３にて判定される場合には、再びステップＳ４２に戻り、同様の動作が繰り返される。なお、ステップＳ４２とステップＳ４３とのループ処理の期間中においてユーザのスクロール操作が行われると、ボタン表示領域３１０内での機能ボタンＢｉに関するスクロール処理が実行される。
【０１６０】
一方、右端の機能ボタンＢ２４がボタン表示領域３１０の右端に表示される状態に遷移した旨がステップＳ４３にて判定される場合には、ステップＳ４４に進む。すなわち、ボタン表示領域３１０において右端までのスクロールが行われると、ステップＳ４４に進む。
【０１６１】
ステップＳ４４においては、ステップＳ４２と同様に、応用設定メニュー画面３００内のいずれかの機能ボタンＢｉが押下されたか否かが判定される。
【０１６２】
いずれかの機能ボタンＢｉが押下されたと判定されると、ステップＳ４８に進み、当該機能ボタンＢｉの押下に対応する処理が行われる。
【０１６３】
一方、いずれの機能ボタンＢｉも押下されていないと判定されると、ステップＳ４５に進む。ステップＳ４５では、一列表示モードＭ１において水平方向（横方向）に配列された複数の機能ボタンＢｉのうちの左端の機能ボタンＢ１が、ボタン表示領域３１０の左端に表示される状態に遷移したか否かが判定される。
【０１６４】
左端の機能ボタンＢ１がボタン表示領域３１０の左端に表示される状態に遷移していない旨がステップＳ４５にて判定される場合には、再びステップＳ４４に戻り、同様の動作が繰り返される。なお、ステップＳ４４とステップＳ４５とのループ処理の期間中においてユーザのスクロール操作が行われると、ボタン表示領域３１０内での機能ボタンＢｉに関するスクロール処理が実行される。
【０１６５】
一方、左端の機能ボタンＢ１がボタン表示領域３１０に表示される状態に遷移した旨がステップＳ４５にて判定される場合には、ステップＳ４６に進む。すなわち、ボタン表示領域３１０において左端までのスクロールが行われると、ステップＳ４６に進む。
【０１６６】
ステップＳ４６においては、一列表示モードＭ１からグリッド表示モードＭ２への表示モード切換処理が実行される。具体的には、応用設定メニュー画面３００（図５）に代えて、グリッド表示モードＭ２の応用設定メニュー画面５００（図１２参照）が表示される。このとき、切換直後の応用設定メニュー画面としては、直前の応用設定メニュー画面３００（図５）に含まれていた機能ボタンＢ１〜Ｂ８を有するページ画面５００（図１２）が表示されることが好ましい。
【０１６７】
以上のように、上記態様においては、一列表示モードＭ１にて水平方向に配列された複数の機能ボタンのうちの左端のボタンＢ１が表示されている状態から、機能ボタンに関するスクロール操作に応じて水平方向における右端のボタンＢ２４が表示される状態を経て、さらに、逆向きのスクロール操作に応じて左端のボタンＢ１が再び表示される状態へと遷移するまでに、ユーザによる機能ボタンの選択操作が行われない場合には、ステップＳ４６に進む。換言すれば、ボタン表示領域３１０において、左端から右端へのスクロール操作が行われ更に再び右端から左端へのスクロール操作（端的に言えば、一往復のスクロール操作）が行われても、機能ボタンＢｉの選択操作（押下操作）が行われない場合には、ステップＳ４６に進む。そして、ステップＳ４６では、表示モード切換処理が実行される。具体的には、一列表示モードＭ１の応用設定メニュー画面３００に代えてグリッド表示モードＭ２の応用設定メニュー画面５００が表示される。
【０１６８】
ここにおいて、このような一往復のスクロール操作が行われても、機能ボタンの選択操作（押下操作）が行われないということは、ユーザは、所望の機能ボタンを探し出すことができなかった可能性が高い。
【０１６９】
詳細には、一列表示モードＭ１は、その一覧性が比較的低い表示モードであり、一列表示モードＭ１においては、スクロール操作に応じて複数の機能ボタンＢｉが流れるように表示される。そのため、所望のボタンを見逃す可能性が比較的高い。また、一列表示モードＭ１においては、スクロール操作に応じて各機能ボタンの表示位置が随時変更される（固定されていない）ため、所望のボタンの位置に関するユーザ自身の記憶に基づいて、当該所望のボタンを探し出すことは容易ではない。
【０１７０】
これに対して、この実施形態では、一往復のスクロール操作で機能ボタンが押下されなかった場合には、表示モードが一列表示モードＭ１からグリッド表示モードＭ２へ変更され、比較的高い一覧性を有する応用設定メニュー画面５００が表示される。したがって、ユーザは、所望の機能ボタンを比較的容易に探し出すことが可能であり、ユーザの操作性を向上させることが可能である。特に、所望のボタンの応用設定メニュー画面５００内での位置を記憶しているユーザは、当該所望のボタンを非常に容易に探し出すことが可能である。
【０１７１】
なお、上記実施形態においては、一往復のスクロール操作が行われても機能ボタンの選択操作が行われない場合に、表示モード切換処理が実行されているが、本発明はこれに限定されない。たとえば、片道のスクロール操作（たとえば、左端から右端への（往路の）スクロール操作）が行われても機能ボタンの選択操作が行われない場合に、表示モード切換処理が実行されるようにしてもよい。
【０１７２】
より詳細には、一列表示モードＭ１において水平方向に配列された複数の機能ボタンＢｉのうちの一方端のボタンが表示されている状態から、機能ボタンに関するスクロール操作に応じて水平方向における他方端のボタンが表示される状態へと遷移するまでに、ユーザによる機能ボタンの選択操作が行われない場合に、表示モード切換処理が実行されるようにしてもよい。たとえば、図１９のフローチャートにおいてステップＳ４４，Ｓ４５を除いた処理が行われるようにすればよい。より詳細には、ステップＳ４３にて、左端から右端への（片道の）スクロール操作が行われたと判定されると、直ちにステップＳ４６に進むようにすればよい。
【０１７３】
＜５．その他＞
以上、この発明の実施の形態について説明したが、この発明は上記説明した内容のものに限定されるものではない。
【０１７４】
たとえば、上記第１実施形態においては、グリッド表示モードＭ２の詳細設定画面６００（図１４）の表示中にモード切換ボタン５９１が押下された場合には、一列表示モードＭ１への切換直後において、初期状態の応用設定メニュー画面３００（図５）が表示される態様が例示されている。しかしながら、本発明はこれに限定されない。
【０１７５】
具体的には、グリッド表示モードＭ２において特定の機能「小冊子」に関する詳細設定画面６００（図１４）が表示されている際にモード切換ボタン５９１が押下されて一列表示モードＭ１への切換が行われる場合には、当該切換直後において、一列表示モードＭ１用の同じ機能（当該特定の機能）に関する詳細設定画面４００（図７）による設定が継続されるようにしてもよい。さらに、一列表示モードＭ１用の詳細設定画面４００を用いた設定終了後には、図６に示すように、当該特定の機能に対応する機能ボタンＢ１２がボタン表示領域３１０において表示されるようにしてもよい。
【０１７６】
以下、このような態様について図２１のフローチャートを参照しながら説明する。このフローチャートに係る動作は、特定の機能（「小冊子」等）に関する詳細設定画面６００、より詳細には特定の機能（「小冊子」等）に関する詳細設定画面６００（図１４等参照）の表示中に、ＭＦＰ１０によって繰り返し実行される。図１４においては、上述のように機能「小冊子」に関する詳細設定画面６００が示されている。
【０１７７】
ステップＳ５２において、モード切換ボタン５９１が押下された旨が判定されると、ステップＳ５３に進む。換言すれば、モード切換ボタン５９１の押下に応じて一列表示モードＭ１への切換指示が受け付けられると、ステップＳ５３に進む。
【０１７８】
ステップＳ５３においては、モード切換ボタン５９１押下の直前に詳細設定画面６００が表示されていたか否かが判定される。
【０１７９】
モード切換ボタン５９１の押下の直前にて詳細設定画面６００が表示されていなかった（換言すれば、応用設定メニュー画面５００が表示されていた）旨が判定されると、ステップＳ５５に進む。ステップＳ５５では、一列表示モードＭ１への切換が行われるとともに、当該切換直後において、初期状態の応用設定メニュー画面３００（図５）が表示される。
【０１８０】
一方、モード切換ボタン５９１の直前にて詳細設定画面６００が表示されていた旨が判定されると、ステップＳ５４に進む。
【０１８１】
ステップＳ５４では、一列表示モードＭ１への切換が行われるとともに詳細設定画面による設定が継続される。
【０１８２】
当該切換直後においては、同じ機能「小冊子」に関する詳細設定画面４００（図７）がまず表示される。このとき、図７に示すように、ポップアップ表示されている詳細設定画面４００の背面側には、応用設定メニュー画面３００も表示されている。この応用設定メニュー画面３００のボタン表示領域３１０（詳細にはボタン表示領域３１０の左端位置）においては、設定中の機能「小冊子」に対応する機能ボタンＢ１２が表示されている。換言すれば、当該機能「小冊子」に対応する機能ボタンＢ１２が、ボタン表示領域３１０における表示対象機能ボタンの１つとして含まれている。なお、ここでは、図７の詳細設定画面４００が一列表示モードＭ１への切換直後に表示される態様を例示しているが、これに限定されず、たとえば、図８あるいは図９に示されるような詳細設定画面４００が一列表示モードＭ１への切換直後に表示されるようにしてもよい。
【０１８３】
その後、詳細設定画面４００内のＯＫボタン４３２が押下され、当該詳細設定画面４００を用いた設定が終了すると、詳細設定画面４００が消去される。その結果、図６に示すように、詳細設定画面４００の背面側に隠れていた応用設定メニュー画面３００が前面側に表示される。このように、一列表示モードＭ１用の詳細設定画面４００を用いた設定終了後には、機能「小冊子」に対応する機能ボタンＢ１２をボタン表示領域３１０における表示対象機能ボタンの１つとして含む応用設定メニュー画面３００が表示される。
【０１８４】
以上のように、設定操作中に表示モードが一列表示モードＭ１へと変更される場合において、設定操作中の機能に対応する機能ボタンがボタン表示領域３１０に表示されるので、ユーザは、継続的な操作感を得ることができる。したがって、ユーザの操作性を向上させることが可能である。
【０１８５】
また、逆向きの表示モードの切換に関しても同様の改変を行うようにしてもよい。
【０１８６】
たとえば、一列表示モードＭ１において機能「小冊子」に関する詳細設定画面４００（図７）が表示されている際にモード切換ボタン３９２が押下されてグリッド表示モードＭ２への切換が行われる場合には、当該切換直後においてグリッド表示モードＭ２用の同じ機能「小冊子」に関する詳細設定画面６００（図１４）による設定が継続されるようにしてもよい。また、グリッド表示モードＭ２用の詳細設定画面６００を用いた設定終了後には、当該機能「小冊子」に対応する機能ボタンＢ１２を含む機能ボタンＢ１〜Ｂ１５がグリッド状に配置して表示されるようにしてもよい（図１２参照）。
【０１８７】
このように、設定操作中に表示モードがグリッド表示モードＭ２へと変更される場合において、設定操作中の機能に対応する機能ボタンがボタン表示領域５１０（図１２）に表示されるので、ユーザは、継続的な操作感を得ることができる。したがって、ユーザの操作性を向上させることが可能である。
【０１８８】
また、一列表示モードＭ１の詳細設定画面４００（図７）とグリッド表示モードＭ２の詳細設定画面６００（図１４）とは、詳細設定画面４００の突出部分（詳細設定画面と設定対象機能ボタンとの関連性を示す図形部分）を除いて、同じ形状および同じ大きさ等を有するとともに、同じ設定領域等を有している。換言すれば、詳細設定画面４００には当該突出部分が存在するのに対して詳細設定画面６００にはそのような突出部分は存在しない点で両者は相違するが、その他の点においては両者は同じである。すなわち、詳細設定画面４００，６００は、互いにほぼ同じ外観を有している。したがって、表示モードＭ１，Ｍ２の切換の前後においても、ユーザは、統一的な操作感を得ることが可能である。
【０１８９】
また、上記各実施形態等においては、一列表示モードＭ１において、表示対象の機能ボタンＢｉは画面内の上側に配置され、詳細設定画面が当該機能ボタンＢｉの主に下方に表示されているが、これに限定されない。たとえば、各要素の配置を上下方向において反転させてもよい。より詳細には、一列表示モードＭ１において、表示対象の機能ボタンＢｉが画面内の下側に配置され、詳細設定画面が当該機能ボタンＢｉの主に上方に表示されるようにしてもよい。
【０１９０】
また、上記各実施形態等においては、グリッド表示モードＭ２の応用設定メニュー画面５００（図１２および図１３）にて、複数の機能ボタンＢｉが装置固有の順序（詳細にはグループ分けに基づく所定の順序）に従って配置される態様が例示されているが、これに限定されない。たとえば、装置固有の順序ではなく、ユーザによってカスタマイズされた順序で各機能ボタンＢｉが配置されるようにしてもよい。すなわち、応用設定メニュー画面５００における各機能ボタンＢｉが、ユーザごとにカスタマイズされた固有位置に配置されるようにしてもよい。この場合、ユーザは、自らカスタマイズした応用設定メニュー画面５００における各機能ボタンＢｉの位置を比較的容易に記憶することが可能である。
【０１９１】
また、上記各実施形態等においては、ＭＦＰ１０の電源投入直後に基本設定メニュー画面２００が一旦表示された後に応用設定メニュー画面が表示されているが、これに限定されない。たとえば、電源投入直後に応用設定メニュー画面が２種類の表示モードＭ１，Ｍ２のいずれかで表示され、その後、手動操作に応じて或いは自動的に、両表示モードＭ１，Ｍ２相互間の切換処理が行われるようにしてもよい。
【０１９２】
また、上記各実施形態等においては、ＭＦＰ１０に内蔵されたコンピュータにおいて、ＭＦＰ１０のタッチスクリーン２５の表示動作が制御される態様が例示されているが、これに限定されない。たとえば、ＭＦＰ１０と通信可能な外部端末（タブレット端末等）に内蔵されたコンピュータにおいて、ＭＦＰ１０を遠隔操作するプログラムが実行されるようにしてもよい。そして、当該外部端末による当該遠隔操作に応じてＭＦＰ１０に関する操作が行われるようにしてもよい。より詳細には、タブレット端末にはＭＦＰ１０のタッチスクリーン２５と同様の画面（上記のメニュー画面３００，５００および詳細設定画面４００，６００等）が表示され、当該画面に対する操作内容がタブレット端末からＭＦＰ１０へと通信回線を通じて送信される。このような通信処理等によって、ＭＦＰ１０が遠隔操作されるようにしてもよい。
【符号の説明】
【０１９３】
１０  ＭＦＰ（画像形成装置）
２５  タッチスクリーン
３００  応用設定メニュー画面（一列表示モード）
３１０  ボタン表示領域
３４０  スライダ
３５０  アイコン表示領域
３８１，３８２  移動指示入力キー
３９１，３９２，５９１，５９２  モード切換ボタン
４００  詳細設定画面（一列表示モード）
５００  応用設定メニュー画面（グリッド表示モード）
５１０  ボタン表示領域
５８１，５８２  ページ変更ボタン
６００  詳細設定画面（グリッド表示モードＭ２）
Ｂｉ（Ｂ１〜Ｂ２４）  機能ボタン
Ｇ１〜Ｇ５  グループ
Ｍ１  一列表示モード
Ｍ２  グリッド表示モード
【図１】
2016066283.tif 000003
【図２】
2016066283.tif 000004
【図３】
2016066283.tif 000005
【図４】
2016066283.tif 000006
【図１２】
2016066283.tif 000007
【図１３】
2016066283.tif 000008
【図１４】
2016066283.tif 000009
【図１５】
2016066283.tif 000010
【図１６】
2016066283.tif 000011
【図１８】
2016066283.tif 000012
【図１９】
2016066283.tif 000013
【図２１】
2016066283.tif 000014
【図５】
2016066283.tif 000015
【図６】
2016066283.tif 000016
【図７】
2016066283.tif 000017
【図８】
2016066283.tif 000018
【図９】
2016066283.tif 000019
【図１０】
2016066283.tif 000020
【図１１】
2016066283.tif 000021
【図１７】
2016066283.tif 000022
【図２０】
2016066283.tif 000023